(57)【要約】      （修正有）【課題】家庭用浴槽に連結する風呂釜の滞留、沈殿する湯垢を完全に排除し、又、少ない水量で、且つ短時間に、簡単に洗浄する。【解決手段】洗浄機を風呂釜に取り付けて洗浄液を一方向に循環するための手動ポンプと、上下の接続口（テーパーブッュ）と最終洗浄用の水道ホース口をコンパクトに一体化構造とし、洗剤と水道水量を軽減し且つ取り扱いを容易にする構成とした。【選択図】図１
0003115455.tif 000002
【実用新案登録請求の範囲】
【請求項１】
家庭用風呂釜の上下の通水口に洗浄液の注入口及び吸い込み口を挿入し、蛇腹ポンプの圧縮により生じる洗浄液流を弁体により一方向に循環し、風呂釜内部に滞留、沈殿する湯垢を浮遊せしめた後、筺体に設けた弁体付ホース口から水道水を流入することにより湯垢を風呂釜内部より排出する事を目的とする家庭用風呂釜洗浄器。
【考案の詳細な説明】
【技術分野】
【０００１】本考案は、家庭用風呂釜の内部に滞留、沈殿する湯垢を洗浄剤を注入循環し、浮遊状態としてから水道水を導入して浴槽内に排出する為の洗浄器に関するものである。
【背景技術】
【０００２】現在、洗浄剤を注入する器具は市場に見られるが１個の注入口のみの為、風呂釜の一方の通水孔から洗浄剤を注入しても他の通水孔から浴槽内に洗浄剤の一部が排出され、洗浄剤濃度が希薄となり洗浄効果が減少する。又最終仕上げの水道水もホースの先端と風呂釜の通水孔のサイズが異なるため充分な水圧が掛けられず使用水道水量と洗浄時間を多く要する。
【考案の開示】
【考案が解決しようとする課題】
【０００３】解決しようとする問題点は、感電等の危険を避けるため電動式ポンプを用いない事で製作費を低くし、洗浄液を循環する事で短時間で洗浄液の効果を充分發揮し、水道水による最終洗浄も使用水量の節約と洗浄時間を短縮する事が可能で、取り扱いの容易な洗浄器の構造とすること。
【解決するための手段】
【０００４】図１の１手動蛇腹ポンプで送液循環する機構として、符号９の注入テーパーブッシュに符号５の弁体を、符号１１の吸い込みテーパーブッシュの接続フレキシブルチューブの筺体底面取り付け部に符号７の弁体を設けて洗浄液を一方向に循環する構造とし、符号８のの水道水ホース取り付けホース口に符号６の弁体を設けて水道コックの方向への逆流を防止する。風呂釜の上部通水孔に符号９のテーパーブッシュ、風呂釜の下部通水孔に符号１１のテーパーブッシュをそれぞれ接続して洗浄液循環回路が形成され、符号２の洗浄剤補給蓋を開けて洗浄剤を投入、湯水で撹拌して洗浄液としたものを符号１の蛇腹ポンプの圧縮を数回繰り返して風呂釜内を循環洗浄する、湯垢の浮遊を目視してから水道水コックを開いて水道水圧で湯垢と残留洗浄液を風呂釜から排出する。
【考案の効果】
【０００５】循環回路の為洗浄液が浴槽内に洩れないので洗浄液濃度が一定に持続するため、洗浄時間が短縮され、且つ水道水を注入テーパーブッシュに間接接続することで最終洗浄内容の向上と、使用水量の節減を計る事が出来る。
【考案を実施するための最良の形態】
【０００６】符号１の蛇腹ポンプと符号２の洗浄剤室蓋を組み合わせ一体とし、符号９のテーパーブッシュ、と符号１２のフレキシブルチューブの筺体取り付け部及び符号８のホース口に全て弁体を取り付け、その後に筺体各部分に嵌め込み椄着加工とする為に筺体部分の製作が容易であり、各部品の筺体取り付けも容易となる、又、符号９と１１のテーパーブッシュの形態は風呂釜挿入孔が異口径でも合致挿入させ得る。
【実施例１】
【０００７】洗浄器の取り付けは湯水を残したままで、風呂釜と浴槽を接続する上下の通水孔に図１の９と１１のテーパーブッシュをそれぞれ嵌めこみ、図１の１の蛇腹ポンプを手動で圧縮する事により湯水と混合した洗浄液は風呂釜と洗浄器の間を循環し、浴槽内には洩れない。蛇腹ポンプの圧縮を数回繰り返し、湯垢の浮遊をポンプ内に目視したら図１の１１のテーパーブッシュを下の通水孔から抜き取り、水道ホースを図１の８のホース口に嵌め込み水道コックを開けば、水道水は図１の９のテーパーブッシュから風呂釜内に圧入し浮遊する湯垢を浴槽内に排出する。
【産業上の利用可能性】
【０００８】本洗浄器の構造、機能を以てすれば風呂釜のみでなく、内部に曲折した配管を有する構造の小型ボイラー類の洗浄にも利用可能である。
【図面の簡単な説明】
【０００９】
【図１】家庭用風呂釜洗浄器の縦断面図（図３のＡ−Ａ矢視）である。
【図２】家庭用風呂釜洗浄器の斜視図である。
【図３】家庭用風呂釜洗浄器の正面図である。
【図４】家庭用風呂釜洗浄器の背面図である。
【図５】家庭用風呂釜洗浄器の平面図である。
【図６】家庭用風呂釜洗浄器の底面図である。
【符号の説明】
【００１０】  １  蛇腹ポンプ
２  洗浄剤室蓋
３  筺体
４  洗浄剤室
５  注入部弁体
６  水道水弁体
７  吸い込み部弁体
８  水道水ホース取り付け口
９  注入テーパーブッシュ
１０  ポンプ操作指掛け板
１１  吸い込みテーパーブッシュ
１２  吸い込みフレキシブルチューブ
１３  浴槽
【図１】
0003115455.tif 000003
【図２】
0003115455.tif 000004
【図３】
0003115455.tif 000005
【図４】
0003115455.tif 000006
【図５】
0003115455.tif 000007
【図６】
0003115455.tif 000008
【手続補正書】
【提出日】平成16年9月15日(2004.9.15)
【手続補正１】
【補正対象書類名】図面
【補正対象項目名】図５
【補正方法】変更
【補正の内容】
【図５】
0003115455.tif 000009
【手続補正２】
【補正対象書類名】図面
【補正対象項目名】図６
【補正方法】変更
【補正の内容】
【図６】
0003115455.tif 000010
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
「図１」の符号１の蛇腹ポンプと符号２の洗浄剤室蓋は一体加工され、洗浄剤室蓋と符号３の筺体はオス、メスネジにより螺合されている、符号２の洗浄剤室蓋を左に回す事により洗浄剤室蓋と筺体は離脱するので、洗剤を符号４の洗浄剤室に投入してから洗浄剤室蓋を洗浄室に螺合し締め付ける。
【請求項２】
符号８の水道水ホース取り付け口に水道ホースを取り付け、水道バルブは締めて置く、次ぎに符号９のテーパーブッシュを風呂釜の上部通水孔に、符号１１のテーパーブッシュを風呂釜の下部通水孔に嵌合すると浴槽内の水は符号１１のテーパーブッシュから符号１２の吸い込みフレキシブルチューブを通り、符号７の弁体を押し上げて符号４の洗浄剤室に流入し、洗浄剤と混合して洗浄液となる。
【請求項３】
符号１の蛇腹ポンプを手で圧縮すると、符号４の洗浄剤室の洗浄液は符号６と７の弁体は吸い込み用弁体の為閉止され、符号５の吐き出し用弁体を押し開けて浴槽の上部通水孔から風呂釜内に注入される。
【請求項４】
次ぎに符号１の蛇腹ポンプから手を離して圧縮から解放すると蛇腹が伸びて内圧が減り符号５の弁体は閉止され、符号７の弁体は吸い上げられて開き、浴槽の下部通水孔から風呂釜内の洗浄液が符号４の洗浄剤室に還流する。
【請求項５】
「請求項２」から「請求項４」までの操作を数回繰り返すことで、符号４の洗浄剤室に残留する洗浄液は全て風呂釜内に流入し、更に洗浄器に還流する。
【請求項６】
風呂釜内と洗浄器の間を洗浄液が還流することにより風呂釜内壁に付着する湯垢は剥離し、更に洗浄器の符号１２のホース内を通過する際の湯垢量を目視判定してから符号１の蛇腹ポンプの手動を停止する。
【請求項７】
符号１１の吸い込みテーパーブッシュを浴槽の下部通水孔から抜き取ってから、水道のバルブを開くと水道水は符号６と符号５の弁体を押し開けて風呂釜内に流入し、内部に残留する洗浄液と浮遊する湯垢を浴槽の下部通水孔から浴槽内に排出し、その清澄度を見て濁りが無くなれば水道バルブを閉じ、洗浄器を浴槽から取り外す。
【手続補正２】
【補正対象書類名】図面
【補正対象項目名】図３
【補正方法】変更
【補正の内容】
【図３】
0003115455.tif 000011
【手続補正３】
【補正対象書類名】図面
【補正対象項目名】図４
【補正方法】変更
【補正の内容】
【図４】
0003115455.tif 000012
【手続補正書】
【提出日】平成17年7月7日(2005.7.7)
【手続補正１】
【補正対象書類名】実用新案登録請求の範囲
【補正対象項目名】全文
【補正方法】変更
【補正の内容】
【実用新案登録請求の範囲】
【請求項１】
本考案の家庭用風呂釜洗浄器の構成要素として
（１）蛇腹ポンプ１と洗浄剤室蓋２は一体加工され、筺体３に螺合されて洗浄剤の補充の時に開閉する。
（２）筺体３の左側面には風呂釜の上部通水孔に挿入する為の貫孔を有するテーパーブッシュ９を嵌合して一体構成とし、且つ筺体との嵌合部に逆止弁５を設けて洗浄剤溶液の風呂釜内への注入部とする。
（３）筺体３の下面にはフレキシブルチューブ１２を嵌合し、且つ其の先端に貫孔を有するテーパーブッシュ１１を嵌合して一体構成とし、且つ筺体との嵌合部に逆止弁７を設けて洗浄剤溶液の風呂釜内よりの戻り部とする。
（４）筺体３の右側面には水道水を導入する為のホース口を設け、且つ逆止弁６を設けて洗浄剤溶液の水道水との混合を防ぐ。
（５）筺体３の底面には蛇腹ポンプの操作を容易にするために円盤状の指掛け板１０を一体構成する。
以上からなる家庭用風呂釜洗浄器。
【手続補正２】
【補正対象書類名】図面
【補正対象項目名】図５
【補正方法】変更
【補正の内容】
【図５】
0003115455.tif 000013
【手続補正３】
【補正対象書類名】図面
【補正対象項目名】図６
【補正方法】変更
【補正の内容】
【図６】
0003115455.tif 000014